(57)【特許請求の範囲】
【請求項１】
器具本体と、光源を有する光源ユニットと、グローブと、反射部材と、電源装置と、ヒートシンクとを備え、
前記光源ユニットは、前記器具本体の一面に光源が外側に向くように取り付けられ、
前記グローブは、光を拡散させることでグレアの発生を抑制する部材であって、筒状の側壁と外側に突出する曲面に形成された底壁とを有し、前記光源ユニットを覆うように前記器具本体に取り付けられ、
前記反射部材は、前記グローブを透過した光を照射面に集光する部材であって、筒状に形成され、前記グローブを覆うように前記器具本体に取り付けられ、
前記反射部材が前記グローブの前記底壁よりも外側へ突出するように形成され、
前記電源装置は、外部電源から電力が供給されて前記光源を点灯するように構成され、
前記ヒートシンクは、前記光源が発生する熱を放熱する部材であって、前記光源ユニットの照射面と反対側の面に取り付けられ、
前記器具本体は、箱形に形成され、前記光源ユニットが取り付けられた底面と対向する天面に通気口を備え、
前記ヒートシンクと前記通気口との間に前記電源装置が設けられることを特徴とする照明器具。
【請求項２】
前記グローブを支持する１乃至複数のグローブ支持部を備え、前記グローブ支持部は、複数の支持位置のなかから選択される１つの支持位置で前記グローブを支持するように構成され、前記グローブは、複数の前記支持位置毎に、前記光源ユニットとの距離を変化させるように構成されることを特徴とする請求項１記載の照明器具。
【請求項３】
前記光源ユニットは、複数の前記光源と、前記複数の光源を支持する支持部材とを備え、前記支持部材は、複数の前記光源同士の距離を変更可能となるように前記光源を支持することを特徴とする請求項１記載の照明器具。
【請求項４】
前記光源ユニットは、ベースを備え、前記ベースは、前記光源の移動範囲を制限する板状の部材であって、前記各光源に対応する可動凹部を有し、前記支持部材によって支持された前記光源は、前記可動凹部に収納され、前記支持部材と前記ベースは、相対的に回転可能であって、回転角度に応じて前記光源が前記可動凹部内で移動することを特徴とする請求項３記載の照明器具。
【請求項５】
前記支持部材は、前記グローブに機械的に接続され、前記グローブの回転に連動して回転することを特徴とする請求項４記載の照明器具。
【請求項６】
前記通気口は、前記器具本体の前記天面において、前記電源装置の投影領域内のみに形成されていることを特徴とする請求項１〜５の何れか１項記載の照明器具。
【発明の詳細な説明】
【技術分野】
【０００１】
本発明は、照明器具に関し、特に発光ダイオード（ＬＥＤ（Light-emitting Diode））を光源とする照明器具に関する。
【背景技術】
【０００２】
従来、発光ダイオード（ＬＥＤ）を光源とする照明器具が提供されている。例えば、特許文献１記載の照明器具は、ＬＥＤから照射される光の眩しさを抑えつつ、ＬＥＤの光量ロスを低減することができる。
【０００３】
特許文献１記載の照明器具は、複数のＬＥＤからなる光源と、前記光源を設置する照明器具本体と、照明カバーと、リフレクタとを備える。前記光源は、前記照明器具本体の下面に設置される。照明カバーは、前記光源を覆う有底筒状に形成され、底板部にシボ加工が施され、前記光源から放射される光を拡散するように形成される。なお、前記照明カバーの側壁部は、シボ加工が施されておらず、前記光源からの光が拡散することなく高効率で透過するように形成される。前記リフレクタは、前記照明カバーを覆い、下方に向かって内径が大きくなるような円筒状に形成され、前記側壁部から透過された光を内側の鏡面に反射させて作業面に集光させる。さらに、前記照明カバーの側壁部は、前記リフレクタに覆われているので、作業面から前記光源を視認することができない。したがって、特許文献１記載の照明器具は、グレアが抑制されるように形成されている。
【０００４】
また、特許文献１記載の照明器具では、透過率の高い前記側壁部から透過された光が、前記リフレクタに反射して作業面に集光されるので、光量ロスを低減することができる。
【先行技術文献】
【特許文献】
【０００５】
【特許文献１】特開２００８−２７００９６号公報
【発明の概要】
【発明が解決しようとする課題】
【０００６】
ところで、特許文献１記載の従来例において、光源の光量（光束）を増大する場合、グレアの発生を抑制するために、照明カバーの底板部の透過率を低くしなければならない。しかし、透過率を低くすると透過損失による光量ロスが増加してしまう。さらに、照明カバーの側壁部から透過されてリフレクタの反射面で反射された光の光量も増大し、グレアがより生じ易くなる。つまり、上記従来例では、光源の光量を増大しようとした場合、光量ロスを抑えつつグレアの発生を抑制することが困難である。
【０００７】
本発明は、上記事由に鑑みて為されたものであり、グレア並びに効率の低下を抑制しつつ、光量の増大を図ることを目的とする。
【課題を解決するための手段】
【０００８】
上記課題を解決するために、本発明の照明器具は、器具本体と、光源を有する光源ユニットと、グローブと、反射部材と、電源装置と、ヒートシンクとを備え、前記光源ユニットは、前記器具本体の一面に光源が外側に向くように取り付けられ、前記グローブは、光を拡散させることでグレアの発生を抑制する部材であって、筒状の側壁と外側に突出する曲面に形成された底壁とを有し、前記光源ユニットを覆うように前記器具本体に取り付けられ、前記反射部材は、前記グローブを透過した光を照射面に集光する部材であって、筒状に形成され、前記グローブを覆うように前記器具本体に取り付けられ、前記反射部材が前記グローブの前記底壁よりも外側へ突出するように形成され、前記電源装置は、外部電源から電力が供給されて前記光源を点灯するように構成され、前記ヒートシンクは、前記光源が発生する熱を放熱する部材であって、前記光源ユニットの照射面と反対側の面に取り付けられ、前記器具本体は、箱形に形成され、前記光源ユニットが取り付けられた底面と対向する天面に通気口を備え、前記ヒートシンクと前記通気口との間に前記電源装置が設けられることを特徴とする。
【発明の効果】
【０００９】
本発明の照明器具は、グレア並びに効率の低下を抑制しつつ、光量の増大を図ることができるという効果がある。
【図面の簡単な説明】
【００１０】
【図１】本発明に係る照明器具の実施形態１を示す側面断面図である。
【図２】同上の斜視図である。
【図３】同上の側面断面図である。
【図４】図４Ａは同上の反射部材がない場合の側面断面図、図４Ｂは同上の側面断面図、図４Ｃは同上の反射部材がない場合の配光曲線、図４Ｄは同上の配光曲線である。
【図５】本発明に係る照明器具の実施形態２を示し、図５Ａは側面断面図、図５Ｂは図５Ａにおけるグローブ３が下段に位置する場合の配光曲線、図５Ｃは図５Ａにおけるグローブ３が中段に位置する場合の配光曲線、図５Ｄは図５Ａにおけるグローブ３が上段に位置する場合の配光曲線である。
【図６】同上におけるグローブの要部を示す一部省略した斜視図である。
【図７】図７Ａから図７Ｅは同上のグローブの移動手順を説明するための説明図である。
【図８】本発明に係る照明器具の実施形態３を示し、反射部材を省略した側面断面図である。
【図９】同上の要部を示す分解斜視図である。
【図１０】同上の要部を示し、図１０Ａは光源が内側に位置する場合の底面図、図１０Ｂは光源が外側に位置する場合の底面図、図１０Ｃは光源が内側に位置する場合の配光曲線、図１０Ｄは光源が外側に位置する場合の配光曲線である。
【図１１】本発明に係る照明器具の実施形態４を示す側面断面図である。
【図１２】同上の要部を示す斜視図である。
【図１３】同上の比較例を示す側面断面図である。
【図１４】同上の比較例を示す斜視図である。
【発明を実施するための形態】
【００１１】
以下、本発明に係る照明器具の実施形態１から４について、図面を参照して詳細に説明する。ただし、本実施形態では、発光ダイオード（ＬＥＤ（Light-emitting Diode））を光源としているが、蛍光ランプ等を光源としてもかまわない。
（実施形態１）
本実施形態の照明器具は、図１及び図２に示すように、器具本体１と、光源ユニット２と、グローブ３と、反射部材４と、電源装置５とを備える。ただし、以下の説明では、特に断りのない限り、図１において照明器具の上下左右の各方向を規定する。
【００１２】
器具本体１は、金属によって、底面に円形の開口部を設けた矩形の箱形に形成される。ただし、器具本体１は、矩形の箱形に限定される必要はなく、例えば円筒形の箱形に形成されても良い。器具本体１の開口部の周縁には、内側に向かって段部１１が設けられる。
【００１３】
光源ユニット２は、取付板２１と、複数の光源２２（図示例では４個）と、ヒートシンク２３とで構成される。取付板２１は、高熱伝導性を有するアルミ等の金属によって矩形の板状に形成される。光源２２は、発光ダイオードで構成され、取付板２１の下面に取り付けられる。各光源２２は、取付板２１の中心から同じ距離であって、且つ隣り合う光源２２との距離が等間隔となるように取り付けられる。ヒートシンク２３は、アルミ等の金属によって、矩形の土台と、土台の上面に複数の放熱板が並べられるように形成される。ヒートシンク２３は、取付板２１の上面に取り付けられ、光源２２から発生する熱を放熱する。ただし、取付板２１の形状は、例えば円盤形状でも良い。さらに、光源２２の数や形状は、本実施形態に限定されない。また、ヒートシンク２３の形状は、本実施形態に限定されない。
【００１４】
グローブ３は、透光性を有する合成樹脂（例えば、乳白色のポリカーボネート樹脂等）によって、円筒形状の側壁３１と、半球形状の底壁３２とで構成される。側壁３１の下端に、底壁３２が設けられる。側壁３１の上端の周縁には、側壁３１に対して外側に向かって垂直に突出するフランジ３３が設けられる。ただし、グローブ３の形状や材料は本実施形態に限定されない。
【００１５】
反射部材４は、グローブ３の外周を覆うように器具本体１に設置され、下方に向かって径が広がるような円錐台形状に形成される。また、反射部材４は、器具本体１に取り付けられた状態で、グローブ３の底壁３２よりも下方に長く形成される。反射部材４の下端には、円筒形の突出部４１が設けられている。反射部材４は、内側に鏡面加工が施されており、図３に示すように、グローブ３を透過した光が反射部材４の内周面（反射面）で反射し、下方へ照射される。
【００１６】
電源装置５は、外部電源から電力が供給されて光源２２を点灯するように構成される。電源装置５は、矩形箱型の外郭を有し、器具本体１の天面の中央付近に取り付けられる。
【００１７】
光源ユニット２は、器具本体１の開口部から光源２２を露出させるようにして器具本体１の底面に内側から固定される。グローブ３は、器具本体１の段部１１の上にフランジ３３を載せるようにして器具本体１に取り付けられる。
【００１８】
光源ユニット２、グローブ３、反射部材４、及び電源装置５は、器具本体１にねじ止めされることが好ましい。
【００１９】
本実施形態の照明器具の配光について、図４を参照して説明する。図４Ｃ，Ｄの配光曲線は、水平方向から見た配光曲線を表す。
【００２０】
器具本体１に反射部材４が取り付けられていない場合（図４Ａ参照）、配光曲線は、図４Ｃに示すように、下方鉛直方向の光が弱まり、横方向に広がっている。つまり、グローブ３を透過した光が、拡散されることでグレアが抑制されるが、光源２２の直下の照度は低下してしまう。
【００２１】
器具本体１に反射部材４が取り付けられる場合（図４Ｂ参照）、配光曲線は、グローブ３で拡散された光が反射部材４に集光されることで直下の照度が高くなり、図４Ｃと比較して照射範囲が狭くなる。つまり、光源２２から放射された光がグローブ３によって拡散されることでグレアが抑えられる。また、グローブ３で拡散される光が反射部材４に反射されるために、図４Ｄに示すように、横方向に拡散された光は下方へ効率良く均一に配光される。
【００２２】
ところで、照明器具の用途に合わせて、光源２２の出力を上げると、グローブ３の表面の輝度が高くなる。そのため、グローブ３の底壁３２の輝度も高くなり、グレアが発生し易くなる。この場合、例えば、反射部材４が底壁３２より短く形成されていると、底壁３２は広範囲に亘って利用者に直視され、グレアが生じ易くなってしまう。そこで、反射部材４は、器具本体１に取り付けられた状態で、底壁３２よりも下方に長く形成されることにより、光源２２の出力を弱めることなく、直視される範囲を狭めてグレアの発生を抑制することができる。
【００２３】
本実施形態の照明器具は、器具本体１と、光源２２を有する光源ユニット２と、グローブ３と、反射部材４とを備える。光源ユニット２は、器具本体１の一面に光源２２が外側に向くように取り付けられる。グローブ３は、光を拡散させることでグレアの発生を抑制する部材であって、筒状の側壁３１と外側に突出する曲面に形成された底壁３２とを有し、光源ユニット２を覆うように器具本体１に取り付けられる。反射部材４は、グローブ３を透過した光を照射面に集光する部材であって、筒状に形成され、グローブ３を覆うように器具本体１に取り付けられる。反射部材４がグローブ３の底壁３２よりも外側へ突出するように形成されている。
【００２４】
したがって、本実施形態の照明器具では、光源２２からの光を、グローブ３で拡散することにより、グレアを抑えることができる。さらに、本実施形態の照明器具は、反射部材４によって光源２２の光が効率よく集光され照射することができる。また、反射部材４がグローブ３の底壁３２よりも外側へ突出するように形成されるので、グローブ３の輝度が高くなっても、反射部材４によって、グレアの発生を抑制することができる。
（実施形態２）
以下、本発明に係る照明器具の実施形態２について、図５から図７を参照して説明する。ただし、以下の説明では、特に断りのない限り、図５において照明器具の上下左右の各方向を規定する。なお、実施形態１と共通する構成については、同じ符号を付け、詳しい説明は省略する。また、実施形態１では器具本体１に段部１１が設けてられていたが、本実施形態において、グローブ３は後に説明するグローブ支持部１２によって支持されるので、段部１１は器具本体１に設けられなくても良い。
【００２５】
本実施形態の照明器具は、グローブ３を支持する３つのグローブ支持部１２を備える。グローブ支持部１２は、四角柱に形成される。グローブ支持部１２には、グローブ３を支持する３か所の支持溝１２１と、突部１２２とが設けられる。なお、以下の説明において、３か所を区別する場合は上から、支持溝１２１Ａ、支持溝１２１Ｂ、支持溝１２１Ｃとし、区別しない場合は支持溝１２１とする。支持溝１２１は、３つの側面に跨って開口するように形成され、開口されていない面が器具本体１の開口部と反対に向くように設置される。突部１２２は、グローブ３が上下に移動する際の移動範囲を制限するために、器具本体１の開口部側に向かって突出するように形成される。
【００２６】
グローブ支持部１２は、器具本体１の開口部の周縁付近且つ内部に、隣り合うグローブ支持部１２の距離が等間隔になるように設置される。ただし、グローブ支持部１２の数は、３つに限定されない。
【００２７】
グローブ３のフランジ３３には、図６に示すように、深さ（径方向の寸法）の異なる第１取付溝３３１と、第２取付溝３３２の組が隣り合うように３組設けられる。第１取付溝３３１と第２取付溝３３２は、フランジ３３の外縁側が開口するように形成される。第１取付溝３３１の深さは、第２取付溝３３２の深さよりも大きく形成される。なお、第１取付溝３３１の深さは、グローブ支持部１２の支持溝１２１の深さよりも大きく形成される。
【００２８】
ところで、グローブ３は、図７Ａに示すように、支持溝１２１（図示例では支持溝１２１Ｂ）とフランジ３３の第２取付溝３３２とが嵌め合わされて、フランジ３３が支持溝１２１に挟まり、グローブ支持部１２に支持される。
【００２９】
以下、グローブ３を上下方向に移動させる手順について、図７を参照して説明する。
【００３０】
まず、作業者は、グローブ３を時計回りに回転させて、第１取付溝３３１と支持溝１２１Ｂとの位置を合せる。第１取付溝３３１の深さは、支持溝１２１の深さよりも大きく形成されるので、グローブ支持部１２とフランジ３３とが重ならない。したがって、グローブ３は、上下に移動可能な状態になる（図７Ｂ参照）。
【００３１】
次に、作業者は、グローブ３を下段の位置に移動させる場合、グローブ３を下方に移動させ、支持溝１２１Ｃと第１取付溝３３１との位置をあわせる（図７Ｃ参照）。
【００３２】
また、作業者は、グローブ３を上段の位置に移動させ、そして保持させる場合、グローブ３を上方に移動し、グローブ支持部１２の支持溝１２１Ａと第１取付溝３３１との位置をあわせる（図７Ｄ参照）。なお、第１取付溝３３１とグローブ支持部１２の支持溝１２１Ａとの位置が合わされている状態のとき、フランジ３３は、突部１２２の下面に当たり、グローブ支持部１２から抜け出すことができない。
【００３３】
そして最後に、作業者は、グローブ３を反時計回りに回すことで、第２取付溝３３２を支持溝１２１Ａ（１２１Ｃ）に嵌め合わす。その結果、フランジ３３が支持溝１２１Ａ（１２１Ｃ）に挟まり、グローブ３がグローブ支持部１２の上段の支持位置（又は下段の支持位置）で支持される。
【００３４】
本実施形態の照明器具の配光について、図５を参照して説明する。図５Ｂ，Ｃ，Ｄの配光曲線は、水平方向から見た配光曲線を表す。
【００３５】
配光曲線は、グローブ３の位置を上下方向に移動させることによって変化する。グローブ３が下段の指示位置にある場合の配光曲線は、図５Ｂに示すように、照射面に近づくほど照射範囲が広がる。グローブ３が上段の指示位置にある場合の配光曲線は、図５Ｄに示すように、照射面での照射範囲が絞られる（狭くなる）。グローブ３が中段の指示位置にある場合の配光曲線は、図５Ｃに示すように、図５Ｂと図５Ｄの配光曲線の中間の配光曲線となる。つまり、光源２２との距離が離れていると照射範囲が広がり、逆に、両者が近くなると、照射範囲が絞られる。
【００３６】
本実施形態の照明器具は、グローブ３を支持する１乃至複数のグローブ支持部１２を備えることが好ましい。グローブ支持部１２は、複数の支持位置（支持溝１２１）のなかから選択される１つの支持位置でグローブ３を支持するように構成されることが好ましい。グローブ３は、複数の支持位置毎に、光源ユニット２との距離を変化させるように構成されることが好ましい。
【００３７】
したがって、本実施形態の照明器具では、グローブ３と光源２２との距離を変更することによって、照射範囲を容易に変更できる。
（実施形態３）
以下、本発明に係る照明器具の実施形態３について、図８から図１０を参照して説明する。ただし、以下の説明では、特に断りのない限り、図８において照明器具の上下左右の各方向を規定する。なお、実施形態１と重複する構成については、同じ符号を付け、詳しい説明は省略する。また、図８では、反射部材４の図示を省略している。
【００３８】
光源ユニット２は、図９に示すように、ベース２５と、複数の光源２２（図示では３個）と、支持部材２６とを備える。
【００３９】
ベース２５は、金属等によって、矩形の板状に形成される。ベース２５には、下面に、光源２２の移動範囲を制限する可動凹部２５１が設けられる（図示では３か所）。各可動凹部２５１は、図９に示すように、扇型に形成され、外周面２５１１と、内周面２５１２とを備える。外周面２５１１は、可動凹部２５１の径方向の外側の面である。内周面２５１２は、可動凹部２５１の周方向の内側の面である。ただし、ベース２５の形状は、本実施形態に限定されない。
【００４０】
光源２２は、ＬＥＤモジュール２２０と、実装基板２２１とで構成される。なお、実装基板２２１の側面は、下から見て時計回りに第１側面２２１１、第２側面２２１２、第３側面２２１３、第４側面２２１４の符号を付している。光源２２の電極（アノード）は、隣り合う光源２２の電極（カソード）にリード線２２２によって接続される（図１０Ａ参照）。光源２２は、リード線２２３と、リード線２２４とによって電源装置５に接続される。３つの光源２２は、リード線２２２，２２３，２２４によって電源装置５に対して直列に接続される。なお、リード線２２３，２２４は、配線孔２５２と後に説明する配線孔２６４を通って電源装置５に接続される。
【００４１】
支持部材２６は、金属等によって、円盤形状に形成される。支持部材２６は、貫通孔２６１と（図示では３か所）、配線孔２６４とを有する。貫通孔２６１は、長方形であって、短辺の側面を第１側面２６１１と、第３側面２６１３と呼び、長辺の側面を第２側面２６１２と、第４側面２６１４呼ぶ。第１側面２６１１と第３側面２６１３は、光源２２の第１側面２２１１とほぼ同じ長さに形成される。第２側面２６１２と、第４側面２６１４は、光源２２の第２側面２２１２よりも長く形成される。また、支持部材２６には、１対の保持片２６２が貫通孔２６１の第２側面２６１２の中心付近に向かい合って設けられる。光源２２は、保持片２６２によって、貫通孔２６１から抜け落ちることがないように保持される。ただし、保持片２６２の数や形状は、本実施形態の数や形状に限定されない。光源２２は、支持部材２６の第２側面２６１２及び第４側面２６１４に沿って、支持部材２６の中心側から外周側へ、及び外周側から中心側に向かって移動する。配線孔２６４は、支持部材２６の中心に開口され、配線孔２５２と上下方向に並ぶように配置される。リード線２２３，２２４は、支持部材２６の下方から配線孔２６４を通り、さらに、配線孔２５２を通ってベース２５の上方へ向かい、最終的に電源装置５に接続される。
【００４２】
光源２２は、照射面が貫通孔２６１から露出するように、且つ光源２２の照射面が下方になるように支持部材２６に支持される。ベース２５は、可動凹部２５１が下向きになるように設置される。ベース２５の可動凹部２５１に、それぞれ光源２２が収納される。光源２２は、ベース２５と支持部材２６が相対的に回転することによって、移動させられる。光源２２は、支持部材２６の貫通孔２６１を径方向に移動させられる。さらに、光源２２は、ベース２５の可動凹部２５１内で周方向に移動させられる。
【００４３】
ところで、グローブ３のフランジ３３に係止溝３３３が設けられることが好ましい（図示では３か所）。係止溝３３３は、フランジ３３の外縁側に開口されるように形成される。支持部材２６には、外縁に下方に向かって突出した係止爪２６３が設けられる。係止爪２６３は、グローブ３の係止溝３３３と係止されることで、支持部材２６がグローブ３に機械的に接続され、グローブ３を回転させると支持部材２６もグローブ３に連動して回転するように形成される。
【００４４】
本実施形態の照明器具では、ベース２５が器具本体１に固定されており、グローブ３を回転させることで、光源２２が移動する。
なお、本実施形態の照明器具の配光について、図１０を参照して説明する。図１０Ｂ，Ｃ，Ｄの配光曲線は、水平方向から見た配光曲線を表す。
【００４５】
作業者がグローブ３を時計回りに回転させると、支持部材２６がグローブ３に連動して時計回りに回転する。光源２２は、第１側面２２１１がベース２５の可動凹部２５１の外周面２５１１押されて、貫通孔２６１の第２側面２６１２に案内されて第１側面２６１１から第３側面２６１３へ向かって移動する。そして、光源２２は、図１０Ａに示すように、最終的に支持部材２６の最も中心に近い位置で止まる。このとき、光源２２同士の距離が近くなり、配光曲線の照射範囲は絞られる（図１０Ｃ参照）。
【００４６】
逆に、作業者がグローブ３を反時計回りに回転させると、支持部材２６がグローブ３に連動して反時計回りに回転する。光源２２は、第３側面２２１３がベース２５の可動凹部２５１の内周面２５１２に押されて、貫通孔２６１の第２側面２６１２に案内されて第３側面２６１３側から第１側面２６１１へ向かって移動する。光源２２は、図１０Ｂに示すように、最終的に支持部材２６の中心から最も外側の位置で止まる。このとき、光源２２同士の距離が遠くなり、配光曲線の照射範囲は広くなる（図１０Ｄ参照）。
【００４７】
つまり、作業者がグローブ３を回転させることで、光源２２は、隣り合う光源２２との距離が変更させられる。
【００４８】
本実施形態の照明器具の光源ユニット２は、複数の光源２２と、複数の光源２２を支持する支持部材２６とを備えることが好ましい。支持部材２６は、複数の光源２２同士の距離を変更可能となるように光源２２を支持することが好ましい。
【００４９】
したがって、本実施形態の照明器具は、光源２２同士の距離を変えることで、配光を調整することができる。
【００５０】
さらに、本実施形態の照明器具の光源ユニット２は、ベース２５を備えることが好ましい。ベース２５は、光源２２の移動範囲を制限する板状の部材であって、各光源２２に対応する可動凹部２５１を有することが好ましい。支持部材２６によって支持された光源２２は、可動凹部２５１に収納されることが好ましい。支持部材２６とベース２５は、相対的に回転可能であって、回転角度に応じて光源２２が可動凹部２５１内で移動することが好ましい。
【００５１】
したがって、本実施形態の照明器具では、グローブ３を回転させることで、隣り合う光源２２との距離が変更され、容易に照射角度を変えることができる。
（実施形態４）
以下、本発明に係る照明器具の実施形態４について、図１１から図１４を参照して説明する。ただし、以下の説明では、特に断りのない限り、図１１において照明器具の上下左右の各方向を規定する。なお、実施形態１と重複する構成については、同じ符号を付け、詳しい説明は省略する。
【００５２】
ここで、実施形態１の照明器具では、図１３及び図１４に示すように、器具本体１の天面における電源装置５の左右両側に通気口１３が設けられる。ヒートシンク２３の放熱で暖められた空気は通気口１３を通して器具本体１の外に放出される。しかしながら、外部からの埃が通気口１３を通して器具本体１内に進入してヒートシンク２３に堆積してしまい、埃によってヒートシンク２３の放熱機能が低下してしまう虞がある。
【００５３】
そこで、本実施形態の照明器具は、通気口１３とヒートシンク２３の間に電源装置５を配置している。電源装置５には、側面に凸部５１が設けられる。凸部５１は、器具本体１の側壁にねじ５２によってねじ止めされる。
【００５４】
通気口１３は、電源装置５の上方の器具本体１の天面に開口される。さらに通気口１３は、矩形且つ電源装置５の天面よりも小さく形成される。ただし、通気口１３の形状は、矩形に限定されない。
【００５５】
本実施形態の照明器具は、電源装置５と、ヒートシンク２３とを備えることが好ましい。電源装置５は、外部電源から電力が供給されて光源２２を点灯するように構成されることが好ましい。ヒートシンク２３は、光源２２が発生する熱を放熱する部材であって、光源ユニット２の照射面と反対側の面に取り付けられることが好ましい。器具本体１は、箱形に形成されることが好ましい。光源ユニット２が取り付けられた底面と対向する天面に通気口１３を備えることが好ましい。ヒートシンク２３と通気口１３との間に電源装置５が設けられることが好ましい。
【００５６】
したがって、本実施形態の照明器具では、ヒートシンク２３の放熱で暖められた空気を通気口１３から排出しつつ、ヒートシンク２３に埃が堆積することを防止することが可能である。
【符号の説明】
【００５７】
１  器具本体
２  光源ユニット
２２  光源
３  グローブ
３１  側壁
３２  底壁
４  反射部材
【図１】
0006340723.tif 000002
【図２】
0006340723.tif 000003
【図３】
0006340723.tif 000004
【図４】
0006340723.tif 000005
【図５】
0006340723.tif 000006
【図６】
0006340723.tif 000007
【図７】
0006340723.tif 000008
【図８】
0006340723.tif 000009
【図９】
0006340723.tif 000010
【図１０】
0006340723.tif 000011
【図１１】
0006340723.tif 000012
【図１２】
0006340723.tif 000013
【図１３】
0006340723.tif 000014
【図１４】
0006340723.tif 000015